【事件の表示】
　特許第３０５７００７号「可撓線条端挟持具」の請求項１に係る特許に対する特許異議の申立てについて、次のとおり決定する。
【結　論】
　訂正を認める。
　特許第３０５７００７号の請求項１に係る特許を維持する。
【理　由】
第１　経緯
　
　本件特許第３０５７００７号は、平成８年７月９日に出願され、平成１２年４月１４日に特許の設定登録がされ、平成１２年１２月２５日に株式会社メタコより特許請求の範囲の請求項１に係る発明について特許異議の申立がされ、平成１３年３月６日付けで取消理由が通知され、その指定期間内である平成１３年５月１８日付けで特許異議意見書及び訂正請求書が提出された。
　
第２　訂正の内容及びその適否
　
１．上記訂正請求書による訂正の内容は次のとおりである。
（１）訂正事項１
　特許請求の範囲の減縮を目的として、特許請求の範囲の
「【請求項１】可撓性を有する線条の端部を保持して、該線条の端部を固定するための可撓線条端挟持具であり、上記挟持具は、当該挟持具を固定すべき位置に固定せしめる台部と、該台部に一体的に形成された上記線条の挟持部とを備え、上記挟持部は、当該挟持具の長手方向に切設されて、上記線条の端部を挟持できる程度に狭窄されたスリットと、線条端の結び目を係止させるスリット端の係止肩とを備えている、ことを特徴とする可撓線条端挟持具。
　【請求項２】線条端の結び目がスリットから脱出するのを抑止する抑止手段を設けた、ことを特徴とする請求項１に記載の可撓線条端挟持具。」を
「【請求項１】可撓性を有する線条の端部を保持して、該線条の端部を固定するための可撓線条端挟持具であり、上記挟持具は、当該挟持具を被取付部材の適宜位置にその固定位置を調節可能に固定せしめる台部と、該台部に一体的に形成された上記線条の挟持部とを備え、上記挟持部は、当該挟持具の長手方向に切設されて、上記線条の端部を挟持できる程度に狭窄されたスリットと、線条端の結び目を係止させるスリット端の係止肩とを備えている、ことを特徴とする可撓線条端挟持具。
　【請求項２】可撓性を有する線条の端部を保持して、該線条の端部を固定するための可撓線条端挟持具であり、上記挟持具は、当該挟持具を固定すべき位置に固定せしめる台部と、該台部に一体的に形成された上記線条の挟持部とを備え、上記挟持部は、当該挟持具の長手方向に切設されて、上記線条の端部を挟持できる程度に狭窄されたスリットと、線条端の結び目を係止させるスリット端の係止肩とを備え、更に、上記挟持具に線条端の結び目がスリットから脱出するのを抑止する抑止手段を設けた、ことを特徴とする可撓線条端挟持具。」
と訂正する。
（２）訂正事項２
　特許請求の範囲の訂正に伴い、特許請求の範囲の記載と発明の詳細な説明の記載との整合を図るために、明細書の明りょうでない記載の釈明を目的として、段落番号０００５及び０００６を次のとおり訂正する。
「【０００５】
　【課題を解決するための手段】
　上記課題を解決するための本発明の可撓線条端挟持具は、可撓性を有する線条の端部を保持して、該線条の端部を固定するための可撓線条端挟持具であり、該挟持具は、当該挟持具を被取付部材の適宜位置にその固定位置を調節可能に固定せしめる台部と、該台部に一体的に形成された上記線条の挟持部とを備え、該挟持部は、当該挟持具の長手方向に切設されて、上記線条の端部を挟持できる程度に狭窄されたスリットと、線条端の結び目を係止させるスリット端の係止肩とを備えていることを特徴とするものである。
　【０００６】
　また、本発明の可撓線条端挟持具は、可撓性を有する線条の端部を保持して、該線条の端部を固定するための可撓線条端挟持具であり、該挟持具は、当該挟持具を固定すべき位置に固定せしめる台部と、該台部に一体的に形成された上記線条の挟持部とを備え、該挟持部は、当該挟持具の長手方向に切設されて、上記線条の端部を挟持できる程度に狭窄されたスリットと、線条端の結び目を係止させるスリット端の係止肩とを備え、更に、上記挟持具に線条端の結び目がスリットから脱出するのを抑止する抑止手段を設けたことを特徴とするものである。」
　
２．訂正の適否について
（１）訂正事項１について
　訂正事項１のうち請求項１については、特許請求の範囲の可撓線条端挟持具の台部を技術的に限定するものであるから、特許請求の範囲を減縮することを目的とするものであって、当該限定にかかる技術的事項は、願書に添付した明細書又は図面に記載した事項の範囲内であり、また、実質上特許請求の範囲を拡張し、又は変更するものでもない。
　請求項２については、引用形式の記載から、独立形式の記載に改めたものであって、記載内容になんら変更はない。
（２）訂正事項２について
　訂正事項２は、特許請求の範囲の訂正に伴う、特許請求の範囲の記載と発明の詳細な説明の記載との整合を図るための訂正であり、明細書の明りょうでない記載の釈明を目的とするものであって、当該訂正は、願書に添付した明細書又は図面に記載した事項の範囲内であり、また、実質上特許請求の範囲を拡張し、又は変更するものでもない。
（３）したがって、上記訂正は特許法第１２０条の４第２項ただし書き並びに同条第３項において準用する特許法第１２６条第２項及び第３項の規定に適合するので、当該訂正を認める。
　
第３　異議申立について
　
１．特許異議申立人は、訂正前の発明について、本件訂正前の発明は、本件特許の出願の日前に出願され、その後出願公開された特許出願（特願平７−９３５５号）の願書に最初に添付した明細書又は図面（特開平８−１９９９４８号公報（異議申立人の提出した甲第１号証）参照）に記載された発明と同一であるので、特許法第２９条の２に該当し、取り消されるべきである旨主張する（上記取消理由も同趣旨）。
　
２．上記第２に記載したように、本件特許の請求項１に係る発明は訂正されたので、訂正後の請求項１に記載された発明（以下、本件発明１という。）について検討する。
　
３．特許法第２９条の２について
３−１　本件発明１
　本件発明１は訂正後の特許請求の範囲の請求項１に記載されたとおりである。
　（上記第２の訂正事項１参照）
３−２　本件特許の出願の日前に出願され、その後出願公開された特許出願（特願平７−９３５５号）（以下、先願という。）の願書に最初に添付した明細書又は図面（特開平８−１９９９４８号公報（異議申立人の提出した甲第１号証）参照）には、案内部材４に関して、次の記載が認められる。
（１）産業上の利用分野の項（段落番号【０００１】）
　「この発明は、スクリーン状装置に関するものである。さらに詳しくは、この発明は、製造等を容易とし、コストダウンを図ることのできるスクリーン状装置に関するものである。」
（２）実施例の項（段落番号【００１０】ないし【００１６】）
　「【００１０】そして、このセットプレート（２）上に、張力部材としての紐（３）の方向を変える案内部材（４）が、上下両端部と中間部の三箇所に取り付けられている。この案内部材（４）を拡大して示したものが、図４＜ａ＞，＜ｂ＞及び＜ｃ＞の正面図、平面図及び背面図である。たとえばこの図４＜ａ＞，＜ｂ＞及び＜ｃ＞に示したように、案内部材（４）には、紐（３）を通すことができるようにした三つの経路が形成されている。
　【００１１】一つ目の経路は、案内部材（４）の正面側に形成されており、上下に貫通する貫通路（５）である。この貫通路（５）には、これに連通する縦溝（６）が、案内部材（４）の正面に形成されている。この縦溝（６）により、貫通路（５）に紐（３）を通すのを容易にしている。二つ目の経路は、案内部材（４）の正面から背面にかけて貫通する貫通穴（７）である。この貫通穴（７）は、貫通路（５）と直交している。また、正面側の貫通穴（７）は、その径を拡大し、略矩形状としている。これによって、紐（３）を貫通穴（７）に通す作業を簡便としている。
　【００１２】三つ目の経路は、案内部材（４）の背面に形成された縦溝（８）である。これらの貫通路（５）、貫通穴（７）及び縦溝（８）に紐（３）を通すことで紐（３）が案内されるとともに、その方向を変えることができる。また、案内部材（４）には、その背面側に突起（９）が貫通穴（７）と同軸上に設けられている。突起（９）には、側方に略十字状に突出する小突起（１０）が形成されている。このような突起（９）を介して、図１〜図３に例示したセットプレート（２）上に案内部材（４）が取り付けられる。
　【００１３】すなわち、案内部材（４）の取付けに際しては、セットプレート（２）を両端に取り付け、ネット（１）を折り畳んだ状態において、紐（３）を通す位置にセットプレート（２）、ネット（１）、そしてセットプレート（２）を貫通する穴をドリル等を用いて開ける。このようにしてセットプレート（２）上に開けられた穴に図４に例示した突起（９）を嵌め込むと、小突起（１０）がセットプレート（２）の裏面側と係合し、固定される。この状態は、具体的には、図２及び図３に示されている。
　【００１４】紐（３）の一端は、図１〜図３の向かって右側のセットプレート（２）上に固定されている。図２に最も具体的に示されているように、紐（３）は、ネット（１）を水平に貫通した後に、上記した案内部材（４）の貫通穴（７）に裏面側より入り、この貫通穴（７）が貫通路（５）と直交する部分において方向を変え、略直角に曲がり、貫通路（５）を通って案内部材（４）の外側に引き出されている。そして、紐（３）は固定部材（１１）に接続されている。
　【００１５】この固定部材（１１）を拡大して示したのが、図５＜ａ＞及び＜ｂ＞の正面図及び側面図である。（中略）図２に例示したように、案内部材（４）から外に出された紐（３）は、固定部材（１１）の挿通部（１２）に形成された貫通穴（１４）に通される。
【００１６】次いで、図６に示したように、貫通穴（１４）を通過した紐（３）は再び案内部材（４）の方に向かった後に、図４＜ｃ＞に例示した縦溝（８）に挿入される。そして、図６に示したように、紐（３）の先端にその縦溝（８）の内径よりも大きな玉結び（１６）を設け、案内部材（４）の端面にその玉結び（１６）を引掛ける。」
３−３　以上の記載及び図１ないし図６から、先願に記載された案内部材４は、紐の端部を挟持するものであることは明らかであって、先願に記載された、紐、案内部材の本体、縦溝及び案内部材の玉結びが引っ掛かる部分は、それぞれ本件発明１の、可撓性を有する線条、台部、スリット及び係止肩に相当するものであるから、先願には次の発明（以下、先願発明という。）が記載されていると認められる。
　可撓性を有する線条の端部を保持して、該線条の端部を固定するための可撓線条端挟持具であり、上記挟持具は、当該挟持具を固定せしめる台部と、該台部に一体的に形成された上記線条の挟持部とを備え、上記挟持部は、当該挟持具の長手方向に切設されて、上記線条の端部を挟持できる程度に狭窄されたスリットと、線条端の結び目を係止させるスリット端の係止肩とを備えている、ことを特徴とする可撓線条端挟持具。
　本件発明１と先願発明とは次の点で一致し、相違していると認められる。
　一致点
　可撓性を有する線条の端部を保持して、該線条の端部を固定するための可撓線条端挟持具であり、上記挟持具は、当該挟持具を固定せしめる台部と、該台部に一体的に形成された上記線条の挟持部とを備え、上記挟持部は、当該挟持具の長手方向に切設されて、上記線条の端部を挟持できる程度に狭窄されたスリットと、線条端の結び目を係止させるスリット端の係止肩とを備えている、ことを特徴とする可撓線条端挟持具。
　相違点
　本件発明１は、挟持部の台部が「挟持具を被取付部材の適宜位置にその固定位置を調節可能に固定せしめる台部」であるのに対し、先願発明の台部は調節可能に固定されるものではない点。
　そして、上記相違点に係る先願発明の構成は、先願の明細書又は図面に記載された事項から当業者にとって自明の技術的事項ではない。
　したがって、本件発明１と先願発明とを同一の発明とすることはできないから、本件発明１は特許法第２９条の２に該当しない。
　
３−４　以上のとおりであるから、特許異議申立ての理由及び証拠によっては、本件発明１に係る特許を取り消すことはできない
　また、他に本件発明１についての特許を取り消すべき理由を発見しない。
　
第４　むすび
　
　よって、上記のとおり決定する。
【異議決定日】
平成１３年７月３日（２００１．７．３）
【訂正の要旨】
訂正の要旨
（１）訂正事項１
　特許請求の範囲の減縮を目的として、特許請求の範囲の
「【請求項１】可撓性を有する線条の端部を保持して、該線条の端部を固定するための可撓線条端挟持具であり、上記挟持具は、当該挟持具を固定すべき位置に固定せしめる台部と、該台部に一体的に形成された上記線条の挟持部とを備え、上記挟持部は、当該挟持具の長手方向に切設されて、上記線条の端部を挟持できる程度に狭窄されたスリットと、線条端の結び目を係止させるスリット端の係止肩とを備えている、ことを特徴とする可撓線条端挟持具。
　【請求項２】線条端の結び目がスリットから脱出するのを抑止する抑止手段を設けた、ことを特徴とする請求項１に記載の可撓線条端挟持具。」を
「【請求項１】可撓性を有する線条の端部を保持して、該線条の端部を固定するための可撓線条端挟持具であり、上記挟持具は、当該挟持具を被取付部材の適宜位置にその固定位置を調節可能に固定せしめる台部と、該台部に一体的に形成された上記線条の挟持部とを備え、上記挟持部は、当該挟持具の長手方向に切設されて、上記線条の端部を挟持できる程度に狭窄されたスリットと、線条端の結び目を係止させるスリット端の係止肩とを備えている、ことを特徴とする可撓線条端挟持具。
　【請求項２】可撓性を有する線条の端部を保持して、該線条の端部を固定するための可撓線条端挟持具であり、上記挟持具は、当該挟持具を固定すべき位置に固定せしめる台部と、該台部に一体的に形成された上記線条の挟持部とを備え、上記挟持部は、当該挟持具の長手方向に切設されて、上記線条の端部を挟持できる程度に狭窄されたスリットと、線条端の結び目を係止させるスリット端の係止肩とを備え、更に、上記挟持具に線条端の結び目がスリットから脱出するのを抑止する抑止手段を設けた、ことを特徴とする可撓線条端挟持具。」
と訂正する。
（２）訂正事項２
　特許請求の範囲の訂正に伴い、特許請求の範囲の記載と発明の詳細な説明の記載との整合を図るために、明細書の明りょうでない記載の釈明を目的として、段落番号０００５及び０００６を次のとおり訂正する。
「【０００５】
　【課題を解決するための手段】
　上記課題を解決するための本発明の可撓線条端挟持具は、可撓性を有する線条の端部を保持して、該線条の端部を固定するための可撓線条端挟持具であり、該挟持具は、当該挟持具を被取付部材の適宜位置にその固定位置を調節可能に固定せしめる台部と、該台部に一体的に形成された上記線条の挟持部とを備え、該挟持部は、当該挟持具の長手方向に切設されて、上記線条の端部を挟持できる程度に狭窄されたスリットと、線条端の結び目を係止させるスリット端の係止肩とを備えていることを特徴とするものである。
　【０００６】
　また、本発明の可撓線条端挟持具は、可撓性を有する線条の端部を保持して、該線条の端部を固定するための可撓線条端挟持具であり、該挟持具は、当該挟持具を固定すべき位置に固定せしめる台部と、該台部に一体的に形成された上記線条の挟持部とを備え、該挟持部は、当該挟持具の長手方向に切設されて、上記線条の端部を挟持できる程度に狭窄されたスリットと、線条端の結び目を係止させるスリット端の係止肩とを備え、更に、上記挟持具に線条端の結び目がスリットから脱出するのを抑止する抑止手段を設けたことを特徴とするものである。」
（５４）【発明の名称】
可撓線条端挟持具
（５７）【特許請求の範囲】
　【請求項１】
　可撓性を有する線条の端部を保持して、該線条の端部を固定するための可撓線条端挟持具であり、
　上記挟持具は、当該挟持具を
被取付部材の適宜位置にその固定位置を調節可能に
　上記挟持部は、当該挟持具の長手方向に切設されて、上記線条の端部を挟持できる程度に狭窄されたスリットと、線条端の結び目を係止させるスリット端の係止肩とを備えている、
ことを特徴とする可撓線条端挟持具。
　【請求項２】
　可撓性を有する線条の端部を保持して、該線条の端部を固定するための可撓線条端挟持具であり、
　上記挟持具は、当該挟持具を固定すべき位置に固定せしめる台部と、該台部に一体的に形成された上記線条の挟持部とを備え、
　上記挟持部は、当該挟持具の長手方向に切設されて、上記線条の端部を挟持できる程度に狭窄されたスリットと、線条端の結び目を係止させるスリット端の係止肩とを備え、
　
更に、上記挟持具に線条端の結び目がスリットから脱出するのを抑止する抑止手段を設けた、
ことを特徴とする可撓線条端挟持具。
【発明の詳細な説明】
　【０００１】
　【発明の属する技術分野】
　本発明は、例えば、スクリーン装置における可動框の平行移動機構を構成する張紐や、ブラインドにおけるスラットの連綴に用いる紐等の、可撓性を有する紐、糸、天蚕糸、その他の線条の端部を挟持して固定するための可撓線条端挟持具に関するものである。
　【０００２】
　【従来の技術】
　一般に、可撓性を有する線条の端部を固定するに際しては、図７及び図８に示すように、電線端を端子に固定するための金具と同様の固定金具１０１を使用しており、この固定金具１０１を可撓線条１０３の端部に取り付けて、該固定金具１０１を固定すべき位置にねじ等で固定するようにしている。
　この固定金具１０１は、略円柱状の線条端固定部１０１ａと環状部１０１ｂとからなり、該線条端固定部１０１ａに予め可撓線条１０３の端部を固定的に連結し、上記環状部１０１ｂを固定ねじ１０５で固定するものである。
　【０００３】
　しかしながら、このような固定金具１０１を用いると、線条１０３の端部に上述の如く固定的に連結するため、該線条１０３の長さを調節することができないばかりでなく、例えば、図に示すように、建物開口部に装設されるスクリーン装置において、可動框の平行移動機構を構成する張紐の端部の固定に使用した場合、上記スクリーン装置をネット交換等のために分解するに際し、その紐状部材を抜き取ることは極めて困難である。また、上記スクリーン装置に限らず、可撓線条端を容易に長さ調節することができ、しかも容易に着脱自在な手段が必要とされる場合が多々存在する。
　【０００４】
　【発明が解決しようとする課題】
　本発明の技術的課題は、スクリーン装置における可動框の平行移動機構を構成する張紐の固定や、ブラインドにおけるスラットの連綴に使用される紐等の可撓性を有する線条の端部の固定に際し、それらの線条を容易に着脱して該線条の交換あるいは長さ調節等を行うことができ、しかも、その可撓線条に引張力が作用してもその挟持状態を保持できる程度に強固に該線条を固定することができるような可撓線条端挟持具を提供することにある。
　【０００５】
　【課題を解決するための手段】
　上記課題を解決するための本発明の可撓線条端挟持具は、可撓性を有する線条の端部を保持して、該線条の端部を固定するための可撓線条端挟持具であり、該挟持具は、当該挟持具を
被取付部材の適宜位置にその固定位置を調節可能に
　【０００６】
　
また、本発明の可撓線条端挟持具は、可撓性を有する線条の端部を保持して、該線条の端部を固定するための可撓線条端挟持具であり、該挟持具は、当該挟持具を固定すべき位置に固定せしめる台部と、該台部に一体的に形成された上記線条の挟持部とを備え、該挟持部は、当該挟持具の長手方向に切設されて、上記線条の端部を挟持できる程度に狭窄されたスリットと、線条端の結び目を係止させるスリット端の係止肩とを備え、更に、上記挟持具に線条端の結び目がスリットから脱出するのを抑止する抑止手段を設けたことを特徴とするものである。
　【０００７】
　上記構成を有する可撓線条端挟持具により可撓性を有する線条の端部を挟持固定するには、上記挟持部におけるスリット内に該線条を挟み入れて、該線条の端部に形成した結び目を上記係止肩に係止させるだけの簡単な作業で容易に挟持させることができ、一方、当該挟持具から上記線条を取り外すには、該線条を上記スリットに沿って上記台部の正面方向に引き抜くことにより容易に取り外すことができる。また、上記線条の長さを調節する場合には、台部の固定位置を調節することもできるが、該線条を挟持具から取り外し、該線条端の所望の位置に結び目を設けて、それを上記係止肩に係止させることにより、容易に上記線条の長さ調節を行うことができる。
　このようにして、上記線条を容易に着脱することができ、したがって該線条の交換及び長さ調節等を極めて容易に行うことができ、線条端の固定も簡単且つ確実である。
　【０００８】
　また、上記抑止手段を設けることにより、線条端の結び目がスリットから脱出するのを抑止することができる。
　【０００９】
　【発明の実施の形態】
　以下、本発明に係る可撓線条端挟持具を図面に基づいて詳細に説明するに、図１及び図２は本発明の挟持具の第１実施例を示し、図３及び図４は該挟持具の構造と共にその使用態様の一例、即ち、上記挟持具を、折畳式の防虫網戸におけるスクリーンの平行移動機構を構成する張紐の固定に適用した場合の使用態様を示している。
　【００１０】
　このスクリーン５１を構成する折畳可能な張設ネットは、多数のプリーツをジグザグ状に施すことによりアコーディオン式に伸縮自在に構成されており、このスクリーン５１を開閉自在に保持する上記スクリーン枠５５は、上枠５７、下枠５９、及び左右の側枠６１，６３を相互に連結することにより形成したもので、一方の側枠にスクリーン５１の一端を連結すると共に、該スクリーン５１の他端を、スクリーン枠５５にガイドさせた開閉操作用の可動框６５に連結しており、該可動框６５は、上記上枠５７及び下枠５９に上下両端を左右に摺動自在にガイドさせている。
　【００１１】
　上記可動框６５は、その姿勢を常に一定に保持して安定的に平行移動させる必要があり、そのため、スクリーン枠５５には、複数の張紐５３ａ，５３ｂの張設により形成される可動框６５の平行移動機構を設けている。これらの張紐５３ａ，５３ｂは、スクリーン５１の開閉方向に挿通し、スクリーン５１の弛みや風等による揺らぎを防止するための補強の機能をも有するものである。
　【００１２】
　上記張紐５３ａ，５３ｂは、図３からわかるように、それらの一端を可動框６５の上下部に取り付け、スクリーン５１に挿通して側枠６１側に導出した他端部を、スクリーン５１における該側枠６１側端の固定板６７に設けた転向子６９で上方に転向させたうえで、該側枠６１の上端に着脱自在に設けたコーナーピース７１において他方の側枠６３側に転向させ、その側枠６３の上端のコーナーピース７１で再び転向させて、予めスクリーン５１の上部に挿通している張紐５３ａは、側枠６３内を下方に導いたうえでその下端に設けたコーナーピース７２を経て可動框６５側に折り返し、一方、予めスクリーン５１の下部に挿通している張紐５３ｂは、そのまま可動框６５側に折り返している。そして、それらの張紐５３ａ，５３ｂの端部を、該可動框６５の上下端に嵌着されたエンドピース７３を介して、該可動框６５の長穴７５に沿って移動自在に配設された複数の可撓線条端挟持具１にそれぞれ着脱自在に挟持させている。
　【００１３】
　上記可撓線条端挟持具１は、図１及び図２に示すように、当該挟持具１を上記可動框６５の適宜位置に固定せしめる台部３と、該台部３の正面側における長手方向の一端に一体的に形成された上記張紐５３ａ，５３ｂの挟持部５とを合成樹脂により一体的に成形してなり、当該挟持具１を、上記台部３における挟持部５とは反対側の一端に配設された固定手段７により、上記可動框６５の長穴７５の適宜位置に固定するようにしている（図３）。この固定手段７は、上記台部３の穴９に挿入した固定ねじ１１と、該台部３の背面側において該固定ねじ１１に螺合した固定板１５とからなり、該固定ねじ１１の調節により該台部３の背面と固定板１５との間で上記可動框６５における長穴７５の両口縁を挟圧することにより、該長穴７５の適宜位置に固定するようにしている。
　なお、図中１７は、挟持具１を上記固定手段７により固定した際に、上記長穴７５内に係合することにより、上記固定ねじ１１を中心として当該挟持具１が上記長穴７５の左右方向にずれるのを防止するためのガイドである。
　【００１４】
　上記挟持部５は、当該挟持具１の長手方向に切設され、上記張紐５３ａ，５３ｂの端部を挟持できる程度に狭窄されたスリット５Ａと、張紐５３ａ，５３ｂの端部の結び目５４を係止させる係止肩５Ｂとを備えており、上記スリット５Ａの中央には、上記結び目５４がスリット５Ａから脱出するのを抑止するための抑止手段１２が設けられている。この抑止手段１２は、図２に示すように、スリット５Ａ上において上記台部３の上面よりも若干深く形成されたねじ穴５Ｃに上記張紐５３ａ，５３ｂを止着するための止着ねじ１３を螺挿することにより形成でき、これにより、上記張紐５３ａ，５３ｂの端部の結び目５４がスリット５Ａから脱出するのを抑止することができる。
　なお、この実施例においては、スリット５Ａと止着ねじ１３とにより上記張紐５３ａ，５３ｂを保持するようにしているが、通常は、スリット５Ａの挟持力等で十分に張紐の端部を保持することができ、したがって、上記止着ねじ１３は、張紐の端部をより確実に保持する必要がある場合に取り付けるものであり、上記張紐の種類や固定場所等に応じて、取り付けたり、省略したりできるものである。
　【００１５】
　上記挟持具１に張紐５３ａ，５３ｂの端部を固定する際には、該張紐５３ａ，５３ｂを必要な長さに設定するべく、該張紐５３ａ，５３ｂの端部の所望の位置に結び目５４を形成し、該張紐５３ａ，５３ｂを上記挟持部５におけるスリット５Ａ内に挟み入れて、上記結び目５４を係止肩５Ｂに係止させるだけの簡単な作業で極めて容易に挟持させることができる。そして、必要に応じて上記ねじ穴５Ｃに止着ねじ１３を螺挿して張紐５３ａ，５３ｂを止着することにより、よりいっそう確実に上記張紐５３ａ，５３ｂの端部を保持させることができ、しかも上記結び目５４がスリット５Ａから脱出するのを抑止することができる。
　【００１６】
　一方、上記張紐５３ａ，５３ｂを交換や長さ調節等のために取り外す場合には、上記止着ねじ１３を取り外した後に、上記張紐５３ａ，５３ｂを上記スリット５Ａに沿って上記台部３の正面方向に引き抜くことにより容易に取り外すことができ、また、上記張紐５３ａ，５３ｂの長さ調節を行う場合には、上記台部３の固定位置の調節により行うこともできるが、該張紐５３ａ，５３ｂの端部の所望の位置に結び目５４を形成して、該結び目５４において上記係止肩５Ｂに係止させるだけの簡単な作業で容易に上記張紐５３ａ，５３ｂの長さを調節することができる。
　【００１７】
　このように、上記構成を有する可撓線条端挟持具１によれば、固定した張紐５３ａ，５３ｂを容易に着脱することができるので、それらの張紐５３ａ，５３ｂの交換及び長さ調節等を極めて容易に行うことができる。しかも、挟持具１から取り外した張紐端には結び目だけしか存在しないので、部品交換等のために張紐端をネットや穴に挿通させる必要がある場合に極めて有利である。
　また、上記挟持具１を、合成樹脂により単一の成形品として構成することにより、容易に且つ安価に製造することができる。
　【００１８】
　図５及び図６は、本発明の第２実施例を示しており、この可撓線条端挟持具２１は、挟持部２５の先端に、台部３側に略平行に延びる張紐の結び目５４の脱出の抑止手段３２を設けたものである。
　この挟持具２１に張紐５３ａ，５３ｂの端部を挟持固定した場合には、該張紐の端部の結び目５４が、上記台部３と、挟持部２５の係止肩２５Ｂと、抑止手段３２とにより形成される凹部内に保持されるため、上記結び目５４がスリット２５Ａから脱出するのを抑止することができる。
　なお、図中３４は張紐５３ａ，５３ｂをスリット５Ａに挟持する際の案内部であり、上記抑止手段３２の先端におけるスリット２５Ａの両縁部を切り欠くことにより形成されるもので、上記張紐５３ａ，５３ｂをスリット２５Ａ内によりスムーズに案内することができるものである。
　【００１９】
　上記第２実施例のその他の構成及び作用は、実質的に前記第１実施例と同等であるから、同一部分または相当部分に同一符号を付してそれらの説明を省略する。
　【００２０】
　上記第１及び第２実施例においては、本発明の可撓線条端挟持具を、建物開口部用スクリーン装置を構成する防虫網戸における、張設ネットの補強のための張紐５３ａ，５３ｂを挟持して固定するための挟持具１に適用した場合について例示したが、これに限定されるものではなく、例えば、ブラインドにおけるスラットの連綴等に用いる紐を固定するための固定具や、釣り糸を固定するための固定具など、可撓性を有する線条を固定する必要性のある適宜の用途に適用することができる。
　【００２１】
　【発明の効果】
　以上に詳述したように、本発明の可撓線条端挟持具によれば、上記挟持部におけるスリット内に該線条を挟み入れて、該線条の端部における結び目を上記係止肩に係止させるだけの簡単な作業で容易に挟持させることができ、一方、線条を上記スリットに沿って上記台部の正面方向に引き抜くことにより容易に取り外すことができる。また、上記線条の長さを調節する場合には、上記台部の固定位置を調節することもできるが、該線条を挟持具から取り外し、該線条端の所望の位置の結び目において上記係止肩に係止させることにより容易に上記線条の長さ調節を行うことができる。
　このようにして、上記線条を容易に着脱することができ、したがって該線条の交換及び長さ調節等を極めて容易に行うことができる。
　【００２２】
　また、上記抑止手段を設けることにより、線条端の結び目がスリットから脱出するのを抑止することができる。
【図面の簡単な説明】
　【図１】
　本発明の可撓線条端挟持具の第１実施例を示す正面図である。
　【図２】
　図１のＡ−Ａ側断面図である。
　【図３】
　図１の挟持具を建物開口部用スクリーン装置に適用した場合の使用態様の一例を示す説明図である。
　【図４】
　図３の可動框内部において、張紐を挟持した状態を示す部分斜視図である。
　【図５】
　本発明の第２実施例の可撓線条端挟持具で張紐を挟持した状態を示す斜視図である。
　【図６】
　同側断面図である。
　【図７】
　従来における可撓線条端を固定するための固定金具の使用態様の一例を示す正面図である。
　【図８】
　同側面図である。
　【符号の説明】
　１　　可撓線条端挟持具
　３　　台部
　５，２５　　挟持部
　５Ａ　スリット
　５Ｂ，２５Ｂ　係止肩
１２，３２　　抑止手段